(57)【要約】【課題】簡単な構成でより自由度の高い物干しが可能な物干し具を提供すること。【解決手段】この物干し具１は、主物干し棒４１、４２とそれを保持するための主保持部である第一フレーム部２１、２２とを有する本体部１１と、副物干し部１２とを備え、副物干し部１２は、副物干し棒１２１と、副物干し棒１２１を主保持部１１に取り付けるための副保持部１２２とを有し、副物干し棒１２１は、第一フレーム部２１、２２から主物干し棒４１、４２が突出する方向とは反対側の方向に向けて、第一フレーム部２１、２２から突出するように配置されている。【選択図】  図１
0003140632.tif 000002
【実用新案登録請求の範囲】
【請求項１】
主物干し棒と該主物干し棒を保持するための主保持部とを有する本体部と、前記本体部に設けられてなる副物干し部と、を備え、
前記副物干し部は、副物干し棒と、前記副物干し棒を前記主保持部に取り付けるための副保持部とを有し、
前記副物干し棒は、前記主保持部から前記主物干し棒が突出する方向とは反対側の方向に向けて、前記主保持部から突出して配置されること
を特徴とする物干し具。
【請求項２】
主物干し棒と該主物干し棒を保持するための対向する一対の主保持部とを有する本体部と、前記本体部に設けられてなる副物干し部と、を備え、
前記副物干し部は、副物干し棒と、前記副物干し棒を前記主保持部に取り付けるための副保持部とを有し、
前記副物干し棒は、前記主保持部の対向方向とは反対側の方向に向けて、前記主保持部に装着された前記副保持部から突出して配置されること
を特徴とする物干し具。
【請求項３】
前記副物干し部は、使用状態位置と不使用状態位置とに位置させることが可能なように、前記副保持部が前記主保持部に係合されることで前記本体部に設置されており、使用状態位置において、前記副物干し棒が、前記主保持部の対向方向とは反対側の方向に向けて、前記副保持部から突出して配置されていることを特徴とする請求項２に記載の物干し具。
【請求項４】
前記副物干し部は、使用状態位置で前記本体部から外側に突出し、不使用状態位置で前記本体部から外側に突出しないように構成されていることを特徴とする請求項２に記載の物干し具。
【請求項５】
前記副物干し部は、前記副保持部が前記主保持部に着脱自在に係合されることで前記本体部に設けられていることを特徴とする請求項２乃至請求項４のうち、いずれか１に記載の物干し具。
【請求項６】
前記副物干し部は、前記副保持部が前記主保持部に回動自在に係合されることで前記本体部に設けられていることを特徴とする請求項２乃至請求項４のうち、いずれか１に記載の物干し具。
【請求項７】
前記副物干し部は、前記副保持部が前記主保持部に係合されることで前記本体部に設けられており、使用状態位置で前記本体部から外側に突出する場合に、前記主保持部との係合部分の位置よりも下方の位置において前記本体部と接触して位置決めされていることを特徴とする請求項３乃至請求項６のうち、いずれか１に記載の物干し具。
【請求項８】
前記副物干し部が使用状態位置において前記本体部と接触する位置は、使用状態位置における前記副物干し棒の位置よりも下方であることを特徴とする請求項７に記載の物干し具。
【請求項９】
前記本体部は、前記主保持部を含み略水平方向に延びる第一フレーム部と、略垂直方向に延びる第二フレーム部とを有しており、前記副物干し部は、使用状態位置において前記第二フレーム部と接触することで位置決めされていることを特徴とする請求項７又は請求項８に記載の物干し具。
【請求項１０】
主物干し棒と該主物干し棒を保持するための主保持部とを有する本体部と、前記本体部に設けられてなる副物干し部と、を備え、
前記副物干し部は、副物干し棒と、前記副物干し棒を前記本体部に取り付けるための副保持部とを有し、
前記副物干し棒は、前記主保持部から前記主物干し棒が突出する方向とは反対側の方向に向けて配置されること
を特徴とする物干し具。
【請求項１１】
主物干し棒と該主物干し棒を保持するための対向する一対の主保持部とを有する本体部と、前記本体部に設けられてなる副物干し部と、を備え、
前記副物干し部は、副物干し棒と、前記副物干し棒を前記本体部に取り付けるための副保持部とを有し、
前記副物干し棒は、前記主保持部の対向方向とは反対側の方向に向けて、前記本体部に装着された前記副保持部から突出して配置されること
を特徴とする物干し具。
【請求項１２】
前記本体部は、前記主保持部を含み略水平方向に延びる第一フレーム部と、略垂直方向に延びる第二フレーム部とを有しており、
前記副保持部は、前記第二フレーム部に取り付けられていることを特徴とする請求項１０又は１１に記載の物干し具。
【請求項１３】
前記副物干し棒は、前記副保持部に対して回動自在に取り付けられており、使用状態位置で前記本体部から外側に突出した状態で前記副保持部に対する位置決めがなされるように構成されていることを特徴とする請求項１０乃至請求項１２のうち、いずれか１に記載の物干し具。
【請求項１４】
主物干し棒と、該主物干し棒を保持するための略水平方向に延びる第一フレーム部と、略垂直方向に延びる第二フレーム部と、を有する本体部と、
前記本体部に設けられてなる副物干し部と、を備え、
前記副物干し部は、副物干し棒と、前記副物干し棒を前記第一フレーム部及び／又は前記第二フレーム部に取り付けるための副保持部と、を有し、
前記副保持部及び前記副物干し棒には、前記副物干し棒が前記副保持部に対して摺動及び回動する機構が設けられており、
前記副物干し棒は、前記第一フレーム部から前記主物干し棒が突出する方向とは反対側の方向に向けて配置されること
を特徴とする物干し具。
【考案の詳細な説明】
【技術分野】
【０００１】
本考案は、洗濯物などを干す際に用いられる物干し具に関する。
【背景技術】
【０００２】
洗濯物などを干す際に用いられる物干し具の一例として、物干し棒を複数本備える物干し具がある（例えば下記特許文献１参照）。下記公報に記載されている物干し具は、一対の支柱それぞれの先端から水平方向に延びる梁部によって複数本の物干し棒を挟んで支えている。
【０００３】
【特許文献１】意匠登録第１２５９０６５号公報
【考案の開示】
【考案が解決しようとする課題】
【０００４】
ところで、上記従来の技術では、隣接する物干し棒に吊るす洗濯物等が干渉しないようにする必要がある。しかしながら、そのような物干しの態様は制限が多いので、より自由度の高い洗濯物干しが可能な物干し具が求められている。その場合、上記従来の技術における内側の物干し棒を外側に伸ばす態様が想定されるが、そのように構成すると部材の長さが増えることでコストアップし、加工も複雑になるという課題があった。
【０００５】
そこで本考案では、簡単な構成でより自由度の高い物干しが可能な物干し具を提供することを目的とする。
【課題を解決するための手段】
【０００６】
上記課題を解決するために本考案に係る物干し具は、主物干し棒と前記主物干し棒を保持するための主保持部とを有する本体部と、前記本体部に設けられてなる副物干し部とを備え、前記副物干し部は、副物干し棒と、前記副物干し棒を前記主保持部に取り付けるための副保持部とを有し、前記副物干し棒は、前記主保持部から前記主物干し棒が突出する方向とは反対側の方向に向けて、前記主保持部から突出するように配置されている。
【０００７】
本考案に係る物干し具によれば、使用状態において本体部から外側にのみ突出するように副物干し部を形成することができるので、主物干し部と副物干し部とのそれぞれに吊るす洗濯物等の干渉を避けることができる。また、主物干し部とは別途副物干し部を設けているので、副物干し部は必要な部分にのみ形成することができ、部材のコストを必要最小限に抑えることができる。従って、本考案によれば、簡単な構成でより自由度の高い物干しが可能でコストを抑えた物干し具を提供することが可能となる。
【０００８】
また、上記課題を解決するために本考案に係る物干し具は、主物干し棒と該主物干し棒を保持するための対向する一対の主保持部とを有する本体部と、前記本体部に設けられてなる副物干し部と、を備え、前記副物干し部は、副物干し棒と、前記副物干し棒を前記主保持部に取り付けるための副保持部とを有し、前記副物干し棒は、前記主保持部の対向方向とは反対側の方向に向けて、前記主保持部に装着された前記副保持部から突出して配置される。
【０００９】
本考案に係る物干し具によれば、使用状態において本体部から外側にのみ突出するように副物干し部を形成することができるので、主物干し部と副物干し部とのそれぞれに吊るす洗濯物等の干渉を避けることができる。また、主物干し部とは別途副物干し部を設けているので、副物干し部は必要な部分にのみ形成することができ、部材のコストを必要最小限に抑えることができる。従って、本考案によれば、簡単な構成でより自由度の高い物干しが可能かつ低廉な物干し具を提供することが可能となる。
【００１０】
また、本考案に係る物干し具では、前記副物干し部は、使用状態位置と不使用状態位置とに位置することが可能なように、前記副保持部が前記主保持部に係合されることで前記本体部に設置されており、使用状態位置において、前記副物干し棒が、前記主保持部の対向方向とは反対側の方向に向けて、前記主保持部から突出するように配置されていることも好ましい。
【００１１】
この好ましい態様によれば、副保持部が主保持部に係合されることで、副物干し部が本体部に設置されているので、副物干し部を使用状態位置と不使用状態位置とに位置させることが容易になる。従って、簡単な構成でより自由度の高い物干しが可能な物干し具を提供することが可能となる。
【００１２】
また、本考案に係る物干し具では、前記副物干し部は、使用状態位置で前記本体部から外側に突出し、不使用状態位置で前記本体部から外側に突出しないように構成されていることも好ましい。
【００１３】
この好ましい態様によれば、副物干し部を使用状態位置では本体部から外側に突出するように配置することで、主物干し部と副物干し部とのそれぞれに吊るす洗濯物等の干渉を避けることができる。一方、副物干し部を不使用状態位置では本体部から外側に突出しないように配置することで、より邪魔にならない位置に副物干し部を配置することができる。従って、簡単な構成でより自由度の高い物干しが可能な物干し具を提供することが可能となる。
【００１４】
また、本考案に係る物干し具では、前記物干し部は、前記副保持部が前記主保持部に着脱自在に係合されることで前記本体部に設置されていることも好ましい。
【００１５】
この好ましい態様によれば、副保持部を主保持部に着脱自在に係合させることで、使用状態位置と不使用状態位置とに位置させることが可能であるので、副物干し部を使わない場合に邪魔にならない位置に副物干し部を配置させることができる。従って、簡単な構成でより自由度の高い物干しが可能な物干し具を提供することが可能となる。
【００１６】
また、本考案に係る物干し具では、前記副物干し部は、前記主保持部に対して回動自在に係合されることで前記本体部に設置されていることも好ましい。
【００１７】
この好ましい態様によれば、副物干し部を主保持部に対して回動自在に係合させることで使用状態位置と不使用状態位置とに位置させることが可能であるので、極めて簡易な動作によって副物干し部を使わない場合に邪魔にならない位置に副物干し部を配置させることができる。従って、簡単な構成でより自由度の高い物干しが可能な物干し具を提供することが可能となる。
【００１８】
また、本考案に係る物干し具では、前記物干し部は、前記副保持部が前記主保持部に係合されることで前記本体部に設置されており、使用状態位置で前記本体部から外側に突出する場合に、前記主保持部との係合部分の位置よりも下方の位置において前記本体部と接触して位置決めされていることも好ましい。
【００１９】
この好ましい態様によれば、副物干し部が使用状態位置に位置した際に、その係合部分からずれた下方の位置において本体部と接触しているので、使用状態における副物干し部の位置決めがより確実に行われる。従って、使用状態位置に的確に副物干し部を配置することが可能となり、主物干し部との干渉を確実に回避できるので、簡単な構成でより自由度の高い物干しが可能な物干し具を提供することが可能となる。
【００２０】
また、本考案に係る物干し具では、前記副物干し部が使用状態位置において前記本体部と接触する位置は、使用状態位置における前記副物干し棒の位置よりも下方であることも好ましい。
【００２１】
この好ましい態様によれば、副物干し部が使用状態位置まで回動した際に、使用状態位置における前記副物干し棒の位置から下方にずれた位置において本体部と接触するので、副物干し部にかかる荷重の荷重位置よりも下方において支えていることになり、使用状態における副物干し部の位置決めがより確実に行われる。従って、使用状態位置に的確に副物干し部を配置することが可能となり、主物干し部との干渉を確実に回避できるので、簡単な構成でより自由度の高い物干しが可能な物干し具を提供することが可能となる。
【００２２】
また、本考案に係る物干し具では、前記本体部は、前記主保持部を含み略水平方向に延びる第一フレーム部と、略垂直方向に延びる第二フレーム部とを有しており、前記副物干し部は、使用状態位置において前記第二フレーム部と接触することで位置決めされていることも好ましい。
【００２３】
この好ましい態様によれば、副物干し部が使用状態位置に位置した際に、略垂直方向に延びる第二フレーム部において接触しているので、副物干し部にかかる荷重をより確実に支えることが可能となり、使用状態における副物干し部の位置決めがより確実に行われる。従って、使用状態位置に的確に副物干し部を配置することが可能となり、主物干し部との干渉を確実に回避できるので、簡単な構成でより自由度の高い物干しが可能な物干し具を提供することが可能となる。
【００２４】
また、上記課題を解決するために本考案に係る物干し具は、主物干し棒と該主物干し棒を保持するための主保持部とを有する本体部と、前記本体部に設けられてなる副物干し部と、を備え、前記副物干し部は、副物干し棒と、前記副物干し棒を前記本体部に取り付けるための副保持部とを有し、前記副物干し棒は、前記主保持部から前記主物干し棒が突出する方向とは反対側の方向に向けて配置されている。
【００２５】
本考案に係る物干し具によれば、使用状態において本体部から外側にのみ突出するように副物干し部を形成することができるので、主物干し部と副物干し部とのそれぞれに吊るす洗濯物等の干渉を避けることができる。また、主物干し部とは別途副物干し部を設けているので、副物干し部は必要な部分にのみ形成することができ、部材のコストを必要最小限に抑えることができる。従って、本考案によれば、簡単な構成でより自由度の高い物干しが可能でコストを抑えた物干し具を提供することが可能となる。
【００２６】
また、上記課題を解決するために本考案に係る物干し具は、主物干し棒と該主物干し棒を保持するための対向する一対の主保持部とを有する本体部と、前記本体部に設けられてなる副物干し部と、を備え、前記副物干し部は、副物干し棒と、前記副物干し棒を前記本体部に取り付けるための副保持部とを有し、前記副物干し棒は、前記主保持部の対向方向とは反対側の方向に向けて、前記本体部に装着された前記副保持部から突出して配置されている。
【００２７】
本考案に係る物干し具によれば、使用状態において本体部から外側にのみ突出するように副物干し部を形成することができるので、主物干し部と副物干し部とのそれぞれに吊るす洗濯物等の干渉を避けることができる。また、主物干し部とは別途副物干し部を設けているので、副物干し部は必要な部分にのみ形成することができ、部材のコストを必要最小限に抑えることができる。従って、本考案によれば、簡単な構成でより自由度の高い物干しが可能かつ低廉な物干し具を提供することが可能となる。
【００２８】
また、本考案に係る物干し具では、前記本体部は、前記主保持部を含み略水平方向に延びる第一フレーム部と、略垂直方向に延びる第二フレーム部とを有しており、前記副保持部は、前記第二フレーム部に取り付けられていることも好ましい。
【００２９】
この好ましい態様によれば、副保持部が第二フレーム部に取り付けられているので、副保持部に係る荷重を略垂直方向に延びる第二フレーム部で直接支えることができ、副保持部をより確実に支持することができる。従って、的確に副物干し部を配置することが可能となり、主物干し部との干渉を確実に回避できるので、簡単な構成でより自由度の高い物干しが可能な物干し具を提供することが可能となる。
【００３０】
また、本考案に係る物干し具では、前記副物干し棒は、前記副保持部に対して回動自在に取り付けられており、使用状態位置で前記本体部から外側に突出した状態で前記副保持部に対する位置決めがなされるように構成されていることも好ましい。
【００３１】
この好ましい態様によれば、副物干し棒が副保持部に対して回動自在に取り付けられているので、不使用状態位置としては副物干し棒を邪魔にならない位置に配置することできる。また、使用状態位置で本体部から外側に突出した状態で位置決めがなされるように構成されているので、的確に副物干し棒を配置することが可能となり、簡単な構成でより自由度の高い物干しが可能な物干し具を提供することが可能となる。
【００３２】
また、本考案に係る物干し具では、主物干し棒と、該主物干し棒を保持するための略水平方向に延びる第一フレーム部と、略垂直方向に延びる第二フレーム部と、を有する本体部と、前記本体部に設けられてなる副物干し部と、を備え、前記副物干し部は、副物干し棒と、前記副物干し棒を前記第一フレーム部及び／又は前記第二フレーム部に取り付けるための副保持部と、を有し、前記副保持部及び前記副物干し棒には、前記副物干し棒が前記副保持部に対して摺動及び回動する機構が設けられており、前記副物干し棒は、前記第一フレーム部から前記主物干し棒が突出する方向とは反対側の方向に向けて配置されることを特徴とする。
【００３３】
この好ましい態様によれば、副物干し棒が副保持部に対して摺動及び回動する機構が備えられているので、不使用状態位置と使用状態位置との変更が極めて容易であるとともに、副物干し棒を邪魔にならない位置に配置することできる。また、使用状態位置で本体部から外側に突出した状態で位置決めがなされるように構成されているので、的確に副物干し棒を配置することが可能となり、簡単な構成でより自由度の高い物干しが可能な物干し具を提供することが可能となる。
【考案の効果】
【００３４】
本考案によれば、簡単な構成でより自由度の高い物干しが可能な物干し具を提供することができる。
【考案を実施するための最良の形態】
【００３５】
以下、添付図面を参照しながら本考案の好適な実施の形態について説明する。説明の理解を容易にするため、各図面において同一の構成要素に対しては可能な限り同一の符号を付して、重複する説明は省略する。
【００３６】
本考案の実施形態に係る物干し具について図１を参照しながら説明する。図１は、物干し具１を示す斜視図である。図１に示すように、物干し具１は、本体部１１と、副物干し部１２とを備えている。本体部１１は、第一フレーム部２１、２２（主保持部）と、第二フレーム部３１、３２と、第三フレーム部５１、５２と、第四フレーム部６１、６２と、支持棒７と、棚８とによって構成されている。副物干し部１２は、本体部１１に設けられており、副物干し棒１２１と、副保持部１２２とによって構成されている。
【００３７】
まず、本体部１１の構成について説明する。第一フレーム部２１と第一フレーム部２２とは、主物干し棒４１、４２を保持可能なように所定の距離をおいて対向配置されている。第一フレーム部２１の一端と第一フレーム部２１の一端とを繋ぐように主物干し棒４１が配置され、第一フレーム部２１の他端と第一フレーム部２１の他端とを繋ぐように主物干し棒４２が配置されている。従って、第一フレーム部２１、２２、主物干し棒４１、４２によって矩形枠状の構造体が形成されている。
【００３８】
第一フレーム部２１の略中央付近から略鉛直下方に向けて、第二フレーム部３１が配置されている。また、第一フレーム部２２の略中央付近から略鉛直下方に向けて、第二フレーム部３２が配置されている。従って、第一フレーム部２１と第二フレーム部３１とによってＴ字状の構造体が形成され、第一フレーム部２２と第二フレーム部３２とによってＴ字状の構造体が形成されている。
【００３９】
第二フレーム部３１の第一フレーム部２１に繋がっている一端とは反対側の他端には、第三フレーム部５１が設けられている。第三フレーム部５１はその中央付近において第二フレーム部３１と繋がっており、第三フレーム部５１と第一フレーム部２１とは略平行に配置されている。
【００４０】
第二フレーム部３２の第一フレーム部２２に繋がっている一端とは反対側の他端には、第三フレーム部５２が設けられている。第三フレーム部５２はその中央付近において第二フレーム部３２と繋がっており、第三フレーム部５２と第一フレーム部２２とは略平行に配置されている。従って、第三フレーム部５１と第三フレーム部５２とは、第一フレーム部２１と第一フレーム部２２と同様に、所定の距離をおいて対向配置されている。
【００４１】
第三フレーム部５１と第三フレーム部５２との間には、第四フレーム部６１と第四フレーム部６２とが互いに所定の距離をおいて対向配置されている。従って、第三フレーム部５１と、第三フレーム部５２と、第四フレーム部６１と、第四フレーム部６２とによって矩形枠状の構造体が形成されている。
【００４２】
第二フレーム部３１の略中央付近と、第二フレーム部３２の略中央付近とを繋ぐように、支持棒７が配置されている。この支持棒７が設けられているのとほぼ同じ位置に、略水平方向に延びるように棚８が設けられている。
【００４３】
第二フレーム部３１、３２には、それぞれストッパ８１、８２が設けられている。棚８は、回転軸８３によってストッパ８１に軸支され、回転軸８４によってストッパ８２に軸支されている。図１に示す使用状態において、棚８は、ストッパ８１の係止部８５、ストッパ８２の係止部８６に係止されてそれぞれ当接することで棚８が略水平となるように構成されている。
【００４４】
本実施形態の場合、第一フレーム部２１、２２（主保持部）と、第二フレーム部３１、３２と、第三フレーム部５１、５２と、第四フレーム部６１、６２と、支持棒７とは、それぞれ円断面のパイプによって構成されている。
【００４５】
続いて、副物干し部１２の構成、及び副物干し部１２の取り付け状態について説明する。副物干し部１２は、副物干し棒１２１と、副物干し棒１２１を主保持部としての第一フレーム部２１、２２に取り付けるための副保持部１２２とを有している。
【００４６】
副物干し部１２は、第一フレーム部２１に取り付けられる場合、第一フレーム部２１から主物干し棒４１、４２が突出する方向（図中矢印Ａの向かう方向。「主保持部から主物干し棒が突出する方向」）とは反対側の方向（図中矢印Ｂの向かう方向。「主保持部から主物干し棒が突出する方向とは反対側の方向」）に向けて、副物干し棒１２１が第一フレーム部２１から突出するように設けられている。副物干し部１２は、第一フレーム部２２に取り付けられる場合、第一フレーム部２２から主物干し棒４１、４２が突出する方向（図中矢印Ｃの向かう方向。「主保持部から主物干し棒が突出する方向」）とは反対側の方向（図中矢印Ｄの向かう方向。「主保持部から主物干し棒が突出する方向とは反対側の方向」）に向けて、副物干し棒１２１が第一フレーム部２２から突出するように設けられている。換言すれば、副物干し部１２は、第一フレーム部２１と第一フレーム部２２とが対向する方向（図中矢印Ａ、Ｃの向かう方向。「主保持部の対向方向」）とは反対側の方向（図中矢印Ｂ、Ｄの向かう方向。「主保持部の対向方向とは反対側の方向」）に向けて、副物干し棒１２１を突出させるように設けられている。
【００４７】
図１に示す物干し具１は、副物干し部１２を使用状態位置に位置させたものである。副物干し部１２を不使用状態位置に位置させた状態を図２に示す。図２に示すように、不使用状態位置では、副物干し部１２は、副物干し棒１２１を第二フレーム部３１、３２に沿うように配置されている。本実施形態の場合、副物干し部１２の副保持部１２１が第一フレーム部２１、２２に回動自在に係合されているので、図１に示す使用状態位置と図２に示す不使用状態位置とに位置することが可能となっている。
【００４８】
副物干し部１２は、図１に示す使用状態位置では、副物干し棒１２１が本体部１１から外側に突出し、図２に示す不使用状態位置では、副物干し棒１２１が本体部１１から外側に突出しないように構成されている。従って、図１に示す使用状態位置の場合も、主物干し棒４１、４２に吊るされた物干し対象物と、副物干し棒１２１に吊るされた物干し対象物とは干渉しないように構成され、図２に示す不使用状態位置の場合も、主物干し棒４１、４２に吊るされた物干し対象物と、副物干し部１２とが干渉しないように構成されている。
【００４９】
ここで、副物干し部１２の構成について図３、図４、図５を参照しながら説明する。図３は、副物干し部１２を示す斜視図、図４は、副物干し部１２を側面から見た図であって、使用状態位置にある状態を示す図、図５は、副物干し部１２を側面から見た図であって、不使用状態位置にある状態を示す図である。
【００５０】
副物干し部１２を構成する副保持部１２２は、棒保持部１２２ａと、係合部１２２ｂとを有している。係合部１２２ｂは、第一フレーム部２１に回動自在に係合されており、第一フレーム部２１と第二フレーム部２２との接合部分を跨ぐように形成されている。より具体的には、係合部１２２ｂは、その一部が第一フレーム部２１のパイプ外周に沿った形状を成しており、第一フレーム部２１に対して回動自在に構成されている。
【００５１】
係合部１２２ｂは、使用状態位置において、第二フレーム部２２に沿うように接触して配置されている。従って、副物干し部１２は、使用状態位置において、第一フレーム部２１との係合部分よりも下方の位置において本体部１１と接触して位置決めされている。
【００５２】
棒保持部１２２ａは、係合部１２２ｂに対して副物干し棒１２１を略垂直に保持することが可能なように形成されている。棒保持部１２２ａは、副物干し棒１２１が挿入可能な円筒状の形態を成している。副物干し棒１２１は、棒保持部１２２ａに挿入されてネジ止めされている。
【００５３】
副物干し部１２には、位置決め突起１２２ｃが設けられている。位置決め突起１２２ｃは、使用状態位置において第二フレーム部３１を挟むように形成されている。位置決め突起１２２ｃは、係合部１２２ｂから突出するように形成されており、係合部１２２ｂから棒保持部１２２ａが延びる方向とは反対側の方向に向けて突出するように形成されている。
【００５４】
尚、副物干し部１２の形態は上述した本実施形態の態様にのみ限定されるものではない。例えば、一つの副保持部１２２に対して複数の副物干し棒１２１を設けることも好ましい。複数の副物干し棒１２１を設けるにあたっては、副保持部１２２から離れるに従って分岐するような態様を採用することも好ましい。
【００５５】
また、本実施形態の場合、副物干し部１２を本体部１１に対して回動自在に係合したが、本体部１１に対する副物干し部１２の配置態様はこの態様にのみ限定されるものではない。例えば、本体部１１に対して副物干し部１２を着脱自在に構成し、図１に示す使用状態位置と図２に示す不使用状態位置とに位置することが可能なように構成することも好ましい。
【００５６】
本考案の第二実施形態について図６乃至図１０を参照して説明する。図６及び図７は、本考案の第二実施形態に係る物干し具を示す斜視図、図８は、図６に示す物干し具の副物干し部を示す斜視図、図９は、図７に示す物干し具の副物干し部を示す斜視図、図１０は、図６及び図７に示す物干し具の棚を示す図である。
【００５７】
図６に示すように、物干し具１ａは、本体部１１ａと、副物干し部１６とを備えている。本体部１１ａは、第一フレーム部２１、２２（主保持部）と、第二フレーム部３１、３２と、第三フレーム部５１、５２と、第四フレーム部６３と、支持棒７と、棚９１、９２とによって構成されている。副物干し部１６は、本体部１１に設けられており、副物干し棒１６１と、副保持部１６２とによって構成されている。
【００５８】
まず、本体部１１ａの構成について説明する。第一フレーム部２１と第一フレーム部２２とは、主物干し棒４１、４２を保持可能なように所定の距離をおいて対向配置されている。第一フレーム部２１の一端と第一フレーム部２１の一端とを繋ぐように主物干し棒４１が配置され、第一フレーム部２１の他端と第一フレーム部２１の他端とを繋ぐように主物干し棒４２が配置されている。従って、第一フレーム部２１、２２、主物干し棒４１、４２によって矩形枠状の構造体が形成されている。
【００５９】
第一フレーム部２１の略中央付近から略鉛直下方に向けて、第二フレーム部３１が配置されている。また、第一フレーム部２２の略中央付近から略鉛直下方に向けて、第二フレーム部３２が配置されている。従って、第一フレーム部２１と第二フレーム部３１とによってＴ字状の構造体が形成され、第一フレーム部２２と第二フレーム部３２とによってＴ字状の構造体が形成されている。
【００６０】
第二フレーム部３１の第一フレーム部２１に繋がっている一端とは反対側の他端には、第三フレーム部５１が設けられている。第三フレーム部５１はその中央付近において第二フレーム部３１と繋がっており、第三フレーム部５１と第一フレーム部２１とは略平行に配置されている。
【００６１】
第二フレーム部３２の第一フレーム部２２に繋がっている一端とは反対側の他端には、第三フレーム部５２が設けられている。第三フレーム部５２はその中央付近において第二フレーム部３２と繋がっており、第三フレーム部５２と第一フレーム部２２とは略平行に配置されている。従って、第三フレーム部５１と第三フレーム部５２とは、第一フレーム部２１と第一フレーム部２２と同様に、所定の距離をおいて対向配置されている。
【００６２】
第三フレーム部５１と第三フレーム部５２とのそれぞれの略中心部分を繋ぐように第四フレーム部６３が配置されている。従って、第三フレーム部５１と、第三フレーム部５２と、第四フレーム部６３とによって略Ｈ状の構造体が形成されている。
【００６３】
第二フレーム部３１の略中央付近と、第二フレーム部３２の略中央付近とを繋ぐように、支持棒７が配置されている。この支持棒７が設けられているのとほぼ同じ位置に、略水平方向に延びるように棚９１、９２が設けられている。
【００６４】
ここで図１０を参照しながら、棚９１、９２の取り付け構造について説明する。図１０に示すように、第二フレーム部３１には、一対のストッパ９１１、９１２が設けられている。棚９１は、その端部に設けられた支軸ピン９１２によってストッパ９１１に軸支されている。図６に示す使用状態において、棚９１は、その端部であって支軸ピン９１２よりも外側に設けられているガイドローラ９１３がストッパ９１１の上部（特に段部）に当接することで、略水平に保持されるように構成されている。棚９２は、その端部に設けられた支軸ピン９２２によってストッパ９２１に軸支されている。図６に示す使用状態において、棚９２は、その端部であって支軸ピン９２２よりも外側に設けられているガイドローラ９２３がストッパ９２１の上部に当接することで、略水平に保持されるように構成されている。棚９１、９２が第二フレーム部３２に取り付けられる状態も同様であるので、その説明を省略する。このように構成することにより、図１０及び図６のように略水平に保持された棚９１は、（１）棚９１の先端部を若干持ち上げて、ガイドローラ９１３とストッパ９１１上部との当接を解除し、（２）支軸ピン９１２をストッパ９１１のガイド孔内をスライドさせ、（３）棚９１を下方向に回動させて倒すことにより、図７のように収納状態とすることが可能となる。なお、図１０及び図７のように収納状態とされている棚９２を、図１０及び図６のように略水平に保持された棚９１のような使用状態とする方法は、前記（１）から（３）の手順を逆に行えばよい。
【００６５】
図６に戻り、第２実施形態の場合、第一フレーム部２１、２２（主保持部）と、第二フレーム部３１、３２と、第三フレーム部５１、５２と、第四フレーム部６３と、支持棒７とは、それぞれ円断面のパイプによって構成されている。
【００６６】
続いて、副物干し部１６の構成、及び副物干し部１６の取り付け状態について説明する。副物干し部１６は、副物干し棒１６１と、副物干し棒１６１を本体部としての第二フレーム部３１、３２に取り付けるための副保持部１６２とを有している。なお、本実施形態では副物干し部１６は、副保持部１６２が第二フレーム部３１、３２に設けられる構成としたが、本考案はこれに限られるものではなく、前記の第１実施形態のように、本体部としての第一フレーム部２１、２２（主保持部）に副保持部１２２が設けられてもよく、本体部のいずれかの部位に副物干し部が設けられればよいものである。
【００６７】
副物干し部１６は、第二フレーム部３１に取り付けられる場合、第二フレーム部３１から主物干し棒４１、４２が突出する方向（図中矢印Ａの向かう方向。「主保持部から主物干し棒が突出する方向」）とは反対側の方向（図中矢印Ｂの向かう方向。「主保持部から主物干し棒が突出する方向とは反対側の方向」）に向けて、副物干し棒１６１が第二フレーム部３１から突出するように設けられている。副物干し部１６は、第二フレーム部３２に取り付けられる場合、第二フレーム部３２から主物干し棒４１、４２が突出する方向（図中矢印Ｃの向かう方向。「主保持部から主物干し棒が突出する方向」）とは反対側の方向（図中矢印Ｄの向かう方向。「主保持部から主物干し棒が突出する方向とは反対側の方向」）に向けて、副物干し棒１６１が第二フレーム部３２から突出するように設けられている。換言すれば、副物干し部１６は、第一フレーム部２１と第一フレーム部２２とが対向する方向（図中矢印Ａ、Ｃの向かう方向。「主保持部の対向方向」）とは反対側の方向（図中矢印Ｂ、Ｄの向かう方向。「主保持部の対向方向とは反対側の方向」）に向けて、副物干し棒１６１を突出させるように設けられている。
【００６８】
図６に示す物干し具１ａは、副物干し部１６を使用状態位置に位置させたものである。副物干し部１６を不使用状態位置に位置させた状態を図７に示す。図７に示すように、不使用状態位置では、副物干し部１６は、副物干し棒１６１を第二フレーム部３１、３２に沿うように配置されている。本実施形態の場合、副物干し部１６の副保持部１６１に対して副物干し棒１６１が回動自在に係合されているので、図６に示す使用状態位置と図７に示す不使用状態位置とに位置することが可能となっている。
【００６９】
副物干し部１６は、図６に示す使用状態位置では、副物干し棒１６１が本体部１１から外側に突出し、図７に示す不使用状態位置では、副物干し棒１６１が本体部１１から外側に突出しないように構成されている。従って、図６に示す使用状態位置の場合も、主物干し棒４１、４２に吊るされた物干し対象物と、副物干し棒１６１に吊るされた物干し対象物とは干渉しないように構成され、図７に示す不使用状態位置の場合も、主物干し棒４１、４２に吊るされた物干し対象物と、副物干し部１６とが干渉しないように構成されている。
【００７０】
ここで、副物干し部１６の構成について図８、図９を参照しながら説明する。図８は、図６に示す使用状態位置における副物干し部１６を示す斜視図、図９は、図７に示す不使用状態位置における副物干し部１６を示す斜視図である。
【００７１】
副物干し部１６を構成する副保持部１６２は、第二フレーム部３１から外側（図中Ｂ方向）に延びる２枚の板状部分１６３によって構成されており、それぞれの板状部分１６３に係合凹部１６２ａと、係合溝１６２ｂとが形成されている。一方、副物干し部１６を構成する副物干し棒１６１は、副保持部１６２と軸支される側にガイドピン１６１ａが一対設けられている。副物干し棒１６１は、一対の板状部分１６３の間に配置され、板状部分１６３に形成されている係合溝１６２ｂを貫通するネジ１６１ｂによって副保持部１６２に対して回動自在に軸支されている。これにより、副保持部１６２及び副物干し棒１６１には、副物干し棒１６１が副保持部１６２に対して摺動及び回動する機構が設けられている。なお、本実施形態において、係合溝１６２ｂは長円形の貫通孔とし、ネジ１６１ｂが貫通するものを説明したが、副物干し棒１６１を回動自在に軸支できれば、特に限定されるものではない。また、本実施形態において、係合凹部１６２ａは、凹状のものを説明したが、ガイドピン１６１ａを保持して副物干し棒１６１が使用状態位置に位置決めされるように係合できるものであれば、凸状その他の構成のものを採択することも可能である。
【００７２】
図８に示すように、使用状態位置にあっては、ガイドピン１６１ａを係合凹部１６２ａに係合させることで、副物干し棒１６１が使用状態位置に位置決めされるように構成されている。一方、図９に示すように、不使用状態位置にあっては、ガイドピン１６１ａを係合凹部１６２ａから外し、副物干し棒１６１をネジ１６１ｂによって軸支されている部分を、係合溝１６２ｂ内で外側に摺動させ、これを中心として下向きに回動させて、第二フレーム部３１と略平行となる位置に移動させることが可能となる。
【００７３】
本考案について上記実施形態を参照しつつ説明したが、本考案は上記実施形態に限定されるものではなく、改良の目的または考案明の思想の範囲内において改良または変更が可能である。例えば、以上の説明においては、副物干し棒（１２１、１６１）は、不使用状態位置では本体部から外側に突出しないように構成されており、図２及び図７では、一例として副物干し棒が下方に垂れ下がっている構成を示しているが、本体部から外側に突出しなければよく、副物干し棒を水平に回動可能にすることで、主保持棒（第一フレーム部２１、２２）と略並行に畳む様に構成してもよい。
【図面の簡単な説明】
【００７４】
【図１】本考案の実施形態に係る物干し具を示す斜視図である。
【図２】本考案の実施形態に係る物干し具を示す斜視図である。
【図３】図１に示す物干し具の副物干し部を示す斜視図である。
【図４】図１に示す物干し具の副物干し部を示す側面図である。
【図５】図１に示す物干し具の副物干し部を示す側面図である。
【図６】本考案の第二実施形態に係る物干し具を示す斜視図である。
【図７】本考案の第二実施形態に係る物干し具を示す斜視図である。
【図８】図６に示す物干し具の副物干し部を示す斜視図である。
【図９】図７に示す物干し具の副物干し部を示す斜視図である。
【図１０】図６、７に示す物干し具の棚を示す斜視図である。
【符号の説明】
【００７５】
１        物干し具
１１        本体部
１２        副物干し部
１２１        副物干し棒
１２２        副保持部
２１、２２  第一フレーム部
３１、３２  第二フレーム部
４１、４２  主物干し棒
５１、５２  第三フレーム部
６１、６２  第四フレーム部
７        支持棒
８        棚
８１、８２  ストッパ
８３、８４  回転軸
８５、８６  係止部
【図１】
0003140632.tif 000003
【図２】
0003140632.tif 000004
【図３】
0003140632.tif 000005
【図４】
0003140632.tif 000006
【図５】
0003140632.tif 000007
【図６】
0003140632.tif 000008
【図７】
0003140632.tif 000009
【図８】
0003140632.tif 000010
【図９】
0003140632.tif 000011
【図１０】
0003140632.tif 000012
【手続補正書】
【提出日】平成20年1月30日(2008.1.30)
【手続補正１】
【補正対象書類名】実用新案登録請求の範囲
【補正対象項目名】全文
【補正方法】変更
【補正の内容】
【実用新案登録請求の範囲】
【請求項１】
主物干し棒と該主物干し棒を保持するための主保持部とを有する本体部と、前記本体部に設けられてなる副物干し部と、を備え、
前記副物干し部は、副物干し棒と、前記副物干し棒を前記本体部に取り付けるための副保持部とを有し、
前記副物干し棒は、前記主保持部から前記主物干し棒が突出する方向とは反対側の方向に向けて配置されること
を特徴とする物干し具。
【請求項２】
主物干し棒と該主物干し棒を保持するための対向する一対の主保持部とを有する本体部と、前記本体部に設けられてなる副物干し部と、を備え、
前記副物干し部は、副物干し棒と、前記副物干し棒を前記本体部に取り付けるための副保持部とを有し、
前記副物干し棒は、前記主保持部の対向方向とは反対側の方向に向けて、前記本体部に装着された前記副保持部から突出して配置されること
を特徴とする物干し具。
【請求項３】
前記本体部は、前記主保持部を含み略水平方向に延びる第一フレーム部と、略垂直方向に延びる第二フレーム部とを有しており、
前記副保持部は、前記第二フレーム部に取り付けられていることを特徴とする請求項１又は２に記載の物干し具。
【請求項４】
前記副物干し棒は、前記副保持部に対して回動自在に取り付けられており、使用状態位置で前記本体部から外側に突出した状態で前記副保持部に対する位置決めがなされるように構成されていることを特徴とする請求項１乃至請求項３のうち、いずれか１に記載の物干し具。
【請求項５】
主物干し棒と、該主物干し棒を保持するための略水平方向に延びる第一フレーム部と、略垂直方向に延びる第二フレーム部と、を有する本体部と、
前記本体部に設けられてなる副物干し部と、を備え、
前記副物干し部は、副物干し棒と、前記副物干し棒を前記第一フレーム部及び／又は前記第二フレーム部に取り付けるための副保持部と、を有し、
前記副保持部及び前記副物干し棒には、前記副物干し棒が前記副保持部に対して摺動及び回動する機構が設けられており、
前記副物干し棒は、前記第一フレーム部から前記主物干し棒が突出する方向とは反対側の方向に向けて配置されること
を特徴とする物干し具。